(57)【要約】【課題】  梁の納まりを簡易にして施工上の煩雑さを解消し、車輌走行路におけるコーナー部を車輌運転の際に遠心力が作用しないようにして運転し易い状態にすると共に車輌駐車スペースから車輌走行路に転落する危険性を無くする連続傾床型自走式立体駐車場を提供する。【解決手段】  ３６０°の旋回走行により一周毎に一階の高さを昇降可能な車輌走行路と該車輌走行路の内外に沿って設けられる任意数の車輌駐車スペースで構成され、その基準階において車輌走行路は、ほぼ等勾配に形成された内外側路縁をもつ単純勾配を有する一対の直線傾斜路と不等勾配に形成された内外側路縁を有する一対の傾斜曲面コーナー部及び前記直線傾斜路と傾斜曲面コーナー部とを連結して配置するほぼ等勾配に形成された内外側路縁をもつ一対のレベルコーナー部で構成する連続傾床型自走式立体駐車場。【選択図】  図１
2008007953.tif 000002
【特許請求の範囲】
【請求項１】
３６０°の旋回走行により一周毎に一階の高さを昇降可能な車輌走行路と該車輌走行路の内外に沿って設けられる任意数の車輌駐車スペースで構成される連続傾床型自走式立体駐車場であって、同基準階において車輌走行路は、ほぼ等勾配に形成された内外側路縁をもつ単純勾配を有する一対の直線傾斜路と不等勾配に形成された内外側路縁を有する一対の傾斜曲面コーナー部及び前記直線傾斜路と傾斜曲面コーナー部とを連結して配置するほぼ等勾配に形成された内外側路縁をもつ一対のレベルコーナー部で構成することを特徴とする連続傾床型自走式立体駐車場。
【請求項２】
車輌走行路のレベルコーナー部を内方で支持する中間柱を省略することを特徴とする請求項１に記載の連続傾床型自走式立体駐車場。
【発明の詳細な説明】
【技術分野】
【０００１】
本発明は、３６０°の旋回走行により一周毎に一階の高さを昇降可能な車輌走行路とこの車輌走行路の内外に沿って設けられる任意数の車輌駐車スペースとで構成される連続傾床型自走式立体駐車場に関する。
【背景技術】
【０００２】
従来の連続傾床型自走式立体駐車場は、３６０°の旋回走行により一周毎に一階の高さを昇降可能な車輌走行路とこの車輌走行路の内外に沿って設けられる任意数の車輌駐車スペースとで構成されていた。
図５に片面のみで表示するように、連続傾床型自走式立体駐車場３０の基準階における車輌走行路は、ほぼ等勾配に形成された内外側路縁をもって単純勾配を有する一対の相対向する傾斜平面状の直線傾斜路３１，３１と、特に図示していないが不等勾配に形成された内外側路縁を有する一対の相対向する傾斜曲面状の直線傾斜路及び前記各直線傾斜路の勾配を整合するための傾斜曲面をもって構成しているコーナー部３２，３３によって３６０°旋回走行できるように形成されており、これらの各外側周辺には、直線車輌走行路と直交状に外接させて並列化された駐車スペース群からなるアウトサイドパーキングエリア３７，３８と直線車輌走行路の内側に並列化された駐車スペース群からなるインサイドパーキングエリア３９，３９とが配置されることで車輌走行路の直線傾斜路に沿った任意数の車輌駐車スペースが設けられている。（特許文献1参照）
【０００３】
又、連続傾床型自走式立体駐車場の基準階における矩形旋回の車輌走行路としては、特に図示しないが単純勾配を有する一対の傾斜路と、不等勾配を有する一対の傾斜曲面路と、前記傾斜路に連続して同一勾配を有する2つのコーナー部及び前記傾斜曲面路と前記傾斜路との勾配を整合する2つのコーナー部とを夫々点対称に配置して構成しており、車輌駐車スペースとしては、前記傾斜路の内側には傾斜路と同一面で連なる内側駐車スペースと前記傾斜路の外側には傾斜路と同一面で連なる外側駐車スペースを夫々設けて構成している他の連続傾床型自走式立体駐車場も紹介されている。（特許文献２参照）
【０００４】
しかして、従来の連続傾床型自走式立体駐車場にあっては、車輌走行路における各直線傾斜路３１，３１の勾配を整合するために傾斜曲面をもって構成している４つのコーナー部３２，３３において、内側路縁４０、４２を急激な曲線勾配に構成する一方、外側路縁４１、４３では緩やかな曲線勾配に構成することで内外側路縁を不等勾配にした傾斜曲面状に構成しており、他の例においても2つのコーナー部と称して、路面傾斜を単純勾配の傾斜路と同一面にしながら内側路縁は急激な曲線勾配に構成していると共にその他の2つのコーナー部においては、単純勾配を有する傾斜路と不等勾配を有する傾斜曲面路との勾配を整合する格好で内外側路縁を不等勾配にした捩れ曲面状にしている。
【０００５】
このために、連続傾床型自走式立体駐車場３０の車輌走行路における曲面状のコーナー部３２，３３は、一方のコーナー部３２において内側路縁４０よりも外側路縁４１を高位置に存在させたとしても他方のコーナー部３３では内側路縁４２が外側路縁４３よりも高位置に存在することになるので、車輌を運転する際に遠心力が作用するためにコーナー部３３では外側に誘導されることになって運転し難い状態になるという問題点を抱えていた。
【０００６】
さらに、車輌走行路におけるコーナー部の構成として、鉄骨造の場合においては、図６に示すように各コーナー部の端部に柱３４，３５を設けて、直線車輌走行路との接合点において夫々に大梁４４，４５を通した後にスラブ４８，４９の勾配に沿って側梁４６、４７を架け渡しており、各梁の側面には車輌走行路の内側傾斜に沿って傾けた梁を架けた2段の段差Ａ，Ｂを形成しているので、梁の納まりが煩雑に成ると共にインサイドパーキングエリア３９と車輌走行路のスラブ４８との間に段差が形成されることでインサイドパーキングエリアから車輌走行路に転落する危険性が問題視されていた。
【０００７】
又、鉄筋コンクリート造の場合にも、車輌走行路の内側に対する昇り勾配にスラブ４８を沿わせるために車輌走行路の高さまで大梁４５に打ち増しすると共に、打ち増した大梁４５の側面には車輌走行路のスラブ４８を取り付けることによって上段の段差Ａを形成している。このために、施工されるアンボンドＰＣ鋼材は、インサイドパーキングエリア３９とスラブ４８との間に形成された段差を跨いで配置する必要が生じるために寸断された状態になるので、上述したアウトサイドパーキングエリア３７，インサイドパーキングエリア３９と車輌走行路とを分けた形態に構成せざるを得ずに、夫々にアンボンドＰＣ鋼材の定着体を配置すると共に個別に緊張させることになって、施工上の煩雑さを余儀なくされていた。
同様に、車輌駐車スペースと車輌走行路との間に段差を形成されることでもインサイドパーキングエリアから車輌走行路に転落する危険性があった。
【特許文献１】特公昭５７−３５３４８号公報
【特許文献２】特公平７−１１３２８１号公報
【発明の開示】
【発明が解決しようとする課題】
【０００８】
本発明は、３６０°の旋回走行により一周毎に一階の高さを昇降可能な車輌走行路とこの車輌走行路の内外に沿って設けられる任意数の車輌駐車スペースとで構成される連続傾床型自走式立体駐車場において、梁の納まりを簡易にして施工上の煩雑さを解消し、車輌走行路におけるコーナー部を車輌運転の際に遠心力が作用しないようにして運転し易い状態にすると共に車輌駐車スペースから車輌走行路に転落する危険性を無くする連続傾床型自走式立体駐車場の提供を目的にしている。
【課題を解決するための手段】
【０００９】
本発明による第１の連続傾床型自走式立体駐車場は、３６０°の旋回走行により一周毎に一階の高さを昇降可能な車輌走行路と該車輌走行路の内外に沿って設けられる任意数の車輌駐車スペースで構成される連続傾床型自走式立体駐車場であって、その基準階において車輌走行路は、ほぼ等勾配に形成された内外側路縁をもつ単純勾配を有する一対の直線傾斜路と不等勾配に形成された内外側路縁を有する一対の傾斜曲面コーナー部及び前記直線傾斜路と傾斜曲面コーナー部とを連結して配置するほぼ等勾配に形成された内外側路縁をもつ一対のレベルコーナー部で構成することを特徴としている。
【００１０】
本発明による第２の連続傾床型自走式立体駐車場は、第１の連続傾床型自走式立体駐車場において、車輌走行路のレベルコーナー部を内方で支持する中間柱を省略することを特徴としている。
【発明の効果】
【００１１】
本発明による第１の連続傾床型自走式立体駐車場は、コーナー部における傾斜曲面コーナー部を一対にして他の一対のコーナー部をほぼ等勾配に形成された内外側炉縁をもつレベルコーナー部にすることで、車輌を運転する際の遠心力を作用させずに運転し易くすると共に車輌駐車スペースから車輌走行路に転落する危険状態を無くして安全性を向上させており、構造的にも大梁の加工を簡略化し、鉄筋コンクリート造においてもアンボンドＰＣ鋼材の定着点を減少させて緊張箇所数も減じることで経済的に施工できる効果を奏している。
【００１２】
又、本発明による第２の連続傾床型自走式立体駐車場は、上記第１の発明に加えてコーナー部を形成するために必要であった大梁の支持柱を省略することで運転の際の見通しを良くすると共に工事の省力化を達成できる効果を奏している。
【発明を実施するための最良の形態】
【００１３】
(実施例１)
本発明による連続傾床型自走式立体駐車場１は、３６０°の旋回走行によって一周毎に一階の高さを昇降可能な車輌走行路２とこの車輌走行路２の内外に沿って設けられる任意数の車輌駐車スペース３とで構成されている。
図１に片面のみで表示するように、連続傾床型自走式立体駐車場１の基準階における車輌走行路２は、ほぼ等勾配に形成された内外側炉縁をもつ単純勾配を有する一対の直線傾斜路４、４と不等勾配に形成された内外側炉縁を有する一対の傾斜曲面コーナー部５及び前記直線傾斜路４と傾斜曲面コーナー部５とを連結して配置するほぼ等勾配に形成された内外側炉縁をもつ一対のレベルコーナー部６で構成されている。
【００１４】
車輌走行路２は、下方に表示された直線傾斜路４と不等勾配に形成された内外側路縁７、８を有する傾斜曲面コーナー部５とを連結して唯一の昇降勾配を構成しており、次いで傾斜曲面コーナー部５にはほぼ等勾配に形成された内外側路縁９、９をもつレベルコーナー部６を接続している。傾斜曲面コーナー部５に連結されたレベルコーナー部６は、図の上方に表示されている一対の直線傾斜路４と同一の傾斜関係で接続されるものであり、直線傾斜路４、傾斜曲面コーナー部５、レベルコーナー部６及び直線傾斜路４の連続する構成によって一周の旋回走行で連続傾床型自走式立体駐車場１における一階の高さを昇降可能に構成されている。
【００１５】
車輌走行路２の各外側周辺には、直線車輌走行路と直交状に外接させて並列化された駐車スペース群からなるアウトサイドパーキングエリア１０が配置されており、直線傾斜路４の内側に並列化された駐車スペース群からなるインサイドパーキングエリア１１が配置されることで車輌走行路２の直線傾斜路４に沿った任意数の車輌駐車スペース３が設けられている。
【００１６】
又、車輌走行路２におけるコーナー部の構成としては、従来例の場合には直線車輌走行路との接合点において大梁４４，４５を通した後にスラブ４８，４９の勾配に沿った側梁４６、４７を架け渡してから各梁の側面に車輌走行路の内側傾斜に沿って傾けた梁を架けて2段の段差Ａ、Ｂを形成していたのに対して、本実施例では、図２に示すように段差Ａをほぼ等勾配に形成された内外側炉縁をもつレベルコーナー部に構成すると共に段差Ｂに相当する傾斜曲面コーナー部５のみを形成しているので、従来の柱３４及び側梁４６は省略して曲面コーナー部５の端部に柱１２、１３のみを設けるものであり、この柱１２、１３に従来の大梁４４，４５に相当する大梁１４、１５を容易に設けるのみで必要としていた側梁４６は不要にすることによって煩雑さを無くして梁の納まりを簡素な作業に改善している。
【００１７】
これらの構成によって、傾斜曲面コーナー部５では内側路縁７を外側路縁８よりも低位置に設定させると同時に、レベルコーナー部６は直線車輌走行路４と同様の勾配にして内外側路縁はほぼ等勾配に形成することによって、従来はインサイドパーキングエリア１１とレベルコーナー部６との間に形成されていた段差を解消すると同時に内側路縁から外側路縁への遠心力の発生を防止している。
従って、車輌の運転は傾斜曲面コーナー部５では矢印１６のように安全なコーナー回転を確保しながら、レベルコーナー部６では矢印１７のように遠心力の発生を解消しており、従来から問題視されていた車輌を運転する際に遠心力が作用するためにコーナー部において外側に誘導されて運転し難い状態になる点やインサイドパーキングエリアから車輌走行路に転落する危険性を改善して安全性を確立する点が達成されている。
【００１８】
又、本発明による連続傾床型自走式立体駐車場１は、鉄筋コンクリート造によっても構成可能であり、この場合においても多くの改良点を発揮しているので、図３に基づいて本発明による連続傾床型自走式立体駐車場１を鉄筋コンクリート造によって構成する場合について説明する。
鉄筋コンクリート造の場合において、従来の車輌走行路では内側に対する昇り勾配にスラブ４８を沿わせるために車輌走行路の高さまで大梁４５に打ち増しし、打ち増した大梁の側面には車輌走行路のスラブ４８を取り付けて上段の段差Ａを形成していたので、施工されるアンボンドＰＣ鋼材は、インサイドパーキングエリア３９とスラブ４８との間に形成された段差を跨いで配置する必要が求められることから、図示の○３と○５において寸断された状態になっていた。このためにアウトサイドパーキングエリア３７とインサイドパーキングエリア３９とは、車輌走行路と分けるために図示の○３と○５において区別して構成する必要があり、アンボンドＰＣ鋼材は、○１〜○３、○３〜○５、○５〜○７との３分割に分けて配線しなければならないと共に、夫々の定着体を車輌駐車スペースと車輌走行路との３分割に対応させながら配置して個別に緊張させていた。
【００１９】
しかるに、本発明による連続傾床型自走式立体駐車場１の場合には、上述したように段差Ａをレベルコーナー部に構成して省略することによって段差Ｂに相当する傾斜曲面コーナー部５のみにしているので、従来は必要であった柱３４と側梁４６も省略出来ており、曲面コーナー部５の端部に設けた柱１２、１３に大梁１４、１５を設けるのみになってインサイドパーキングエリア１１とレベルコーナー部６との間に形成されていた段差を無くしている。
これによって、施工されるアンボンドＰＣ鋼材は、インサイドパーキングエリア３９とスラブ４８との間に形成される段差を跨いで配置する必要が無くなって○３もしくは○５のいずれか一方において寸断されることになって３分割の状態を不要にしている。
【００２０】
従って、大梁１８を図の上下方向に施工した場合には、これと直行する方向に施工されるアンボンドＰＣ鋼材１９は、図３で示すようにアウトサイドパーキングエリア１０と車輌走行路２とに渡っている部分とインサイドパーキングエリア１１とレベルコーナー部６との間に段差を解消して形成される部分とから成る範囲２０において、両側の外側壁２１、２１もしくは２２、２２に定着体を配置してその間に配線できるものである。
【００２１】
又、インサイドパーキングエリア１１と曲面コーナー部５との間に形成された段差を跨いで配置する必要のある範囲２３においては、○３もしくは○５のいずれか一方においてアンボンドＰＣ鋼材２４を切断する必要があり、図示のように○３においてインサイドパーキングエリア１１と曲面コーナー部５との間に形成された段差を跨いで配置する場合には、アンボンドＰＣ鋼材を○１〜○３、○３〜○７との２分割に分けて配線しなければならない。
従って、外側壁２１と○３の位置にある大梁１８に定着体２５を配置してその間にアンボンドＰＣ鋼材２６を配線し、同様に○３の位置にある大梁１８と外側壁２１に定着体２５を配置すると共にその間にアンボンドＰＣ鋼材２７を配線することになるので、アンボンドＰＣ鋼材の配線において定着体の設置数と個別の緊張回数を減少させて施工上の煩雑さを改善している。
【００２２】
図４は、連続傾床型自走式立体駐車場の基準階を示すものである。上記の説明でも明らかなように、本発明による連続傾床型自走式立体駐車場１は、３６０°の旋回走行により一周毎に一階の高さを昇降可能な車輌走行路２と車輌走行路２の内外に沿って設けられる任意数の車輌駐車スペース３で構成されるものであって、その基準階における車輌走行路２は、ほぼ等勾配に形成された内外側路縁をもつ単純勾配を有する直線傾斜路４と不等勾配に形成された内外側路縁を有する傾斜曲面コーナー部２８及び直線傾斜路４と同一傾斜に連結されて配置されるほぼ等勾配に形成された内外側路縁をもつ一対のレベルコーナー部２９から構成されている。
【００２３】
そして、本発明による連続傾床型自走式立体駐車場１は、コーナー部における一対の傾斜曲面コーナー部を不等勾配に形成された内外側路縁を有させて遠心力に抗しながら一周毎に一階の高さを昇降可能にすると共に他の一対のコーナー部をほぼ等勾配に形成された内外側路縁をもつレベルコーナー部に構成して遠心力を低減させることによって車輌を運転する際の遠心力を作用させずに運転し易くしている。
又、構造的にもインサイドパーキングエリアから車輌走行路に転落する危険な状態を無くして安全性を向上させると共に大梁の加工を簡略化しており、鉄筋コンクリート造においてもアンボンドＰＣ鋼材の定着点を減少させて緊張箇所数も減じることで経済的に施工できる効果を発揮している。
【産業上の利用可能性】
【００２４】
本発明は、３６０°の旋回走行により一周毎に一階の高さを昇降可能な車輌走行路とこの車輌走行路の内外に沿って設けられる任意数の車輌駐車スペースとで構成される連続傾床型自走式立体駐車場に関し、車輌を運転し易くしたり車輌駐車スペースから車輌走行路への転落を無くして安全性を向上させて、構造的にも大梁の加工を簡略化したり鉄筋コンクリート造の場合にもアンボンドＰＣ鋼材の定着点や緊張箇所数も減じて経済的に施工できる効果を奏している。
【図面の簡単な説明】
【００２５】
【図１】本発明による連続傾床型自走式立体駐車場の機能説明図
【図２】本発明による連続傾床型自走式立体駐車場の傾斜曲面コーナー部の説明図
【図３】本発明による連続傾床型自走式立体駐車場の鉄筋コンクリート造図
【図４】本発明による連続傾床型自走式立体駐車場の基準階図
【図５】従来の連続傾床型自走式立体駐車場における機能説明図
【図６】従来の連続傾床型自走式立体駐車場におけるコーナー部の説明図
【符号の説明】
【００２６】
１…連続傾床型自走式立体駐車場、２…車輌走行路、３…車輌駐車スペース、４…直線傾斜路、５…傾斜曲面コーナー部、６…レベルコーナー部、７…内側路縁、８…外側路縁、９…内外側路縁、１０…アウトサイドパーキングエリア、１１…インサイドパーキングエリア、１２、１３…柱、１４、１５…大梁、１６、１７…矢印、１８…大梁、１９…アンボンドＰＣ鋼材、２０、２３…範囲、２４、２６、２７…アンボンドＰＣ鋼材、２５…定着体、２８…傾斜曲面コーナー部、  ２９…レベルコーナー部、３０…連続傾床型自走式立体駐車場、３１…直線傾斜路、３２、３３…コーナー部、３４、３５、３６…柱、３７、３８…アウトサイドパーキングエリア、３９…インサイドパーキングエリア、４０、４２…内側路縁、４１、４３…外側路縁、…４４、４５…大梁、…４６、４７…側梁、４８、４９…スラブ
【図１】
2008007953.tif 000003
【図２】
2008007953.tif 000004
【図３】
2008007953.tif 000005
【図４】
2008007953.tif 000006
【図５】
2008007953.tif 000007
【図６】
2008007953.tif 000008